(57)【要約】【課題】２部材間をボルトの緩みを防止して確実に固定する。【解決手段】構造物Ａに接続ボルト取付台座３を介して接続ボルト２を上下方向に回動可能に取り付けて、この接続ボルト２に固定物Ｂに係合するカップリング４を通すとともに、このカップリング４を締め込みロックするロックナット６を螺合装着し、接続ボルト２上のカップリング４の係止溝４１と固定物Ｂに取り付けた受けフック５の係止爪５２とを係合させて、このカップリング４をロックナット６で締め込み、カップリング４のディテント溝４２とロックナット６のディテントボール６３とを係合させてロックする。【選択図】図１
2009103158.tif 000002
【特許請求の範囲】
【請求項１】
２部材間を固定する緩み止めマウンティングボルトであって、
外周面にねじを有する軸と、
前記軸の一端に設けられ、前記軸を前記２部材の一方に取り付け固定するための軸取付部材と、
前記軸を挿通可能な穴と、この穴の周囲で前記軸の一端側に向けられる片側一方の面に形成され、前記２部材の他方に係合する手段と、前記穴の周囲で前記軸の他端側に向けられる片側他方の面に形成されたディテント溝とを有し、前記軸上に配置され、前記２部材の他方に係合するリング部材と、
前記軸に螺合可能なねじ穴と、このねじ穴の周囲で前記軸の一端側に向けられる片側一方の面に溝を形成され、この溝にディテントスプリングを介して出没可能に配置されたディテントボールとを有し、前記軸上に螺着され、前記リング部材を締め付けるとともに、前記ディテント溝と前記ディテントボールとの係合によりロックするロック部材と、
を備えたことを特徴とする緩み止めマウンティングボルト。
【請求項２】
軸は軸方向に対して直角の断面がＤ形に形成され、リング部材の穴が前記軸の断面形状に対応するＤ形に形成される請求項１に記載の緩み止めマウンティングボルト。
【請求項３】
軸取付部材は、２部材の一方に取り付けられる台座と、前記台座に設けられた枢支ピンとを有し、軸は一端が前記台座に前記枢支ピンを介して取り付けられる請求項１又は２に記載の緩み止めマウンティングボルト。
【請求項４】
リング部材は片側一方の面に係止溝を備え、２部材の他方にフック部材が取り付けられて、前記係止溝を前記フック部材に係合させる請求項１乃至３のいずれかに記載の緩み止めマウンティングボルト。
【請求項５】
物を対称な２方向から固定する２つの部材を備え、
その一方の部材に、請求項１乃至４のいずれかに記載の緩み止めマウンティングボルトを採用することを特徴とする固定具。
【請求項６】
他方の部材は、筒形形状のガイドケースと、前記ガイドケースを設置面に取り付け固定するケース取付部材と、前記ガイドケースにばね部材を介して一方向に付勢されて挿通されたガイドピンとを備えて構成され、物に前記ガイドピンが係合可能な溝形形状部が併せて設けられる請求項５に記載の固定具。
【発明の詳細な説明】
【技術分野】
【０００１】
本発明は、２部材間の固定に使用する緩み止めマウンティングボルト及びこれを用いた固定具に関する。
【背景技術】
【０００２】
一般に、２部材間の固定にボルト、ナットが使用される。この種のボルト、ナットは従前から数多くの提案がなされており、その一例が特許文献１、２に記載されている。このようなボルト、ナットで、２部材間を固定する場合、２部材の各面に例えばブラケットが取り付けられて、これらのブラケット間にボルトが通されてナットで締め込まれたり、２部材間が直接、ボルト、ナットで締結されたりするなど、種々の固定形式が採られている。なお、ボルト、ナットには、周知のとおり、各種の形態があり、２部材間の固定構造に応じて、適宜のボルト、ナットが採用されることになる。
【０００３】
【特許文献１】特開２００１−３４９３１１公報
【特許文献２】特開２００２−１３０２２３公報
【発明の開示】
【発明が解決しようとする課題】
【０００４】
しかしながら、２部材間を通常のボルト、ナットで固定した場合、各部材や各部材の設置面に発生する振動などで、ボルトが緩むことがあり、２部材間に確実な固定を得がたいという問題があり、また、２部材の一方を他方から取り外すような場合、ボルト、ナットによる固定形式では、ボルト、ナットを緩め、これを２部材間から完全に取り外さなければならず、取り外し作業が容易でないという問題がある。
【０００５】
本発明は、このような従来の問題を解決するものであり、２部材間をボルトの緩みを防止して確実に固定し、併せて２部材の一方を他方から容易に取り外すことのできる緩み止めマウンティングボルト及びこれを用いた固定具を提供すること、を目的とする。
【課題を解決するための手段】
【０００６】
上記目的を達成するために、本発明の緩み止めマウンティングボルトは、
（１）２部材間を固定する緩み止めマウンティングボルトであって、
（２）外周面にねじを有する軸と、
（３）前記軸の一端に設けられ、前記軸を前記２部材の一方に取り付け固定するための軸取付部材と、
（４）前記軸を挿通可能な穴と、この穴の周囲で前記軸の一端側に向けられる片側一方の面に形成され、前記２部材の他方に係合する手段と、前記穴の周囲で前記軸の他端側に向けられる片側他方の面に形成されたディテント溝とを有し、前記軸上に配置され、前記２部材の他方に係合するリング部材と、
（５）前記軸に螺合可能なねじ穴と、このねじ穴の周囲で前記軸の一端側に向けられる片側一方の面に溝を形成され、この溝にディテントスプリングを介して出没可能に配置されたディテントボールとを有し、前記軸上に螺着され、前記リング部材を締め付けるとともに、前記ディテント溝と前記ディテントボールとの係合によりロックするロック部材と、を備えたことを要旨とする。
【０００７】
この場合、軸は軸方向に対して直角の断面がＤ形に形成され、リング部材の穴が前記軸の断面形状に対応するＤ形に形成されることが好ましい。軸取付部材は、２部材の一方に取り付けられる台座と、前記台座に設けられた枢支ピンとを有し、軸は一端が前記台座に前記枢支ピンを介して取り付けられることが好ましい。リング部材は片側一方の面に係止溝を備え、２部材の他方にフック部材が取り付けられて、前記係止溝を前記フック部材に係合させることが好ましい。
【０００８】
また、上記目的を達成するために、本発明の固定具は、物を対称な２方向から固定する２つの部材を備え、その一方の部材に、上記緩み止めマウンティングボルトを採用することを要旨とする。
【０００９】
この場合、他方の部材は、筒形形状のガイドケースと、前記ガイドケースを設置面に取り付け固定するケース取付部材と、前記ガイドケースにばね部材を介して一方向に付勢されて挿通されたガイドピンとを備えて構成され、物に前記ガイドピンが係合可能な溝形形状部が併せて設けられることが好ましい。
【発明の効果】
【００１０】
本発明の緩み止めマウンティングボルトは、上記の構成により、２部材間をボルトの緩みを防止して確実に固定し、併せて２部材の一方を他方から容易に取り外すことができる。
【００１１】
また、本発明の固定具は、上記の構成により、マウンティングボルトの作用効果を利用して、物を対称的な２方向から確実かつ簡易に固定することができる。
【発明を実施するための最良の形態】
【００１２】
次に、本発明の一実施の形態について図を用いて説明する。図１に緩み止めマウンティングボルト（以下、単にマウンティングボルトという。）を示している。図２乃至図９にマウンティングボルトの各部の構成を示している。
【００１３】
図１に示すように、マウンティングボルト１は、２部材間を固定する装置で、接続ボルト２と、接続ボルト取付台座３と、カップリング４と、ロックナット６とを備える。なお、この場合、２部材の一方は機械、台、容器など各種の構造物Ａ、又は構造物の一部であり、ここでは箱形の構造物として例示したが、その形状は任意である。２部材の他方は機械、台、容器など各種の固定物でＢあり、ここでは構造物Ａよりも小さい箱形の固定物として例示したが、その大きさ、形状は任意である。以下、マウンティングボルト１の各部について、詳しく説明する。
【００１４】
接続ボルト２は外周面にねじ２１を有する軸２０である。この接続ボルト２は、図２に示すように、軸２０の断面（軸方向に対して直角の断面形状）がＤ形にカットされ、外周の円弧状の面にねじ２１が切られ、カットされた面にはねじが切られていない。また、軸２０の一端側外周面に軸心を通り、軸方向に対して直交するピン挿通穴２２が貫通形成される。
【００１５】
接続ボルト取付台座３は、接続ボルト２の一端に取り付けられ、接続ボルト２を箱形の構造物Ａの一側面に取り付け固定するための軸取付部材である。この接続ボルト取付台座３は、台座本体３１と、枢支ピン３２とを有する。この場合、台座本体３１は、図３に示すように、２つのねじ挿通穴３１０を有する取付プレート３１１と、この取付プレート３１１の両側に立ち上げ固定され、取付プレート３１１の一方端から延出して、各突出端に軸受用の穴３１３を有する一対の軸受プレート３１２とにより構成される。枢支ピン３２は、図４に示すように、台座本体３１の各穴３１３間、及び接続ボルト２のピン挿通穴２２に挿通可能な軸３２１からなり、基端に外周方向に延びるフランジ３２２が形成され、先端に円錐形状の溝を形成されてかしめ部３２３が設けられる。このようにして、図５に示すように、接続ボルト２の一端が一対の軸受プレート３１２間に差し込まれ、枢支ピン３２が一方の軸受プレート３１２の穴３１３から挿入され、接続ボルト２のピン挿通穴２２を通して、他方の軸受プレート３１２の穴３１３に挿通され、枢支ピン３２の先端かしめ部３２３がかしめられて、接続ボルト２の一端が接続ボルト取付台座３に回動可能に取り付けられる。
【００１６】
カップリング４は、接続ボルト２上に配置され、箱形の固定物Ｂに係合するリング部材である。このカップリング４は、図６に示すように、全体がリング形状に形成され、中心に接続ボルト２を挿通可能な筒形形状の穴４０と、この穴４０の周囲で接続ボルト２の一端側に向けられる片側一方の面に固定物Ｂに係合する手段として係止溝４１が形成され、また、穴４０の周囲で接続ボルト２の他端側に向けられる片側他方の面にディテント溝４２が形成される。この場合、中心の穴４０は、図６（ａ）及び（ｂ）に示すように、接続ボルト２の断面形状に対応する断面Ｄ形の筒形形状に形成される。片側一方の面の係止溝４１は、図６（ｂ）及び（ｃ）に示すように、筒形形状の穴４０とリング部材の外周との間に全周に亘って断面略コ字形に形成され、特に、リング部材の外周の内側面は底面から開口面に向けて徐々に拡開するテーパ状をなす。片側他方の面のディテント溝４２は複数設けられ、ここでは、図６（ａ）及び（ｂ）に示すように、片側他方の面に１２個のディテント溝４２が円周方向に３０度間隔で形成される。また、このカップリング４の場合、固定物Ｂに係合する手段として、片側一方の面に係止溝４１が設けられたことで、固定物Ｂの一側面に受けフック５が取り付けられる（図１参照）。この受けフック５は、図７に示すように、平板からなり、平面に２つのねじ挿通穴５０が穿たれた取付部５１と、平板の一端を折り曲げて形成された係止爪５２とを有する。この場合、係止爪５２は、平板の一端が鉤形に折り曲げられ、かつ円弧状に曲げられて形成される。
【００１７】
ロックナット６は、接続ボルト２上に螺着され、カップリング４を締め付けロックするロック部材（ナット）である。このロックナット６は、図８に示すように、中心に接続ボルト２（のねじ２１）に螺合可能なねじ穴６０と、このねじ穴６０の周囲で接続ボルト２の一端側に向けられる片側一方の面に溝６１を形成され、この溝６１にディテントスプリング６２を介して出没可能に配置されたディテントボール６３とを有する。この場合、ロックナット６は、全体が略円筒形状に形成され、図９（ａ）に示すように、外周面に円周方向に６０度間隔で６つの凹溝６４が形成され、中心のねじ穴６０は接続ボルト２が螺合可能に円筒形状に形成される。また、図９（ａ）及び（ｂ）に示すように、片側一方の面に円周方向に６０度間隔で６つの溝６１が円筒形状に軸方向に向けて形成され、これら６つの溝６１にそれぞれ、図８に示すように、ディテントボール６３がディテントスプリング６２を介して取り付けられる。このようにして各ディテントボール６３は各溝６１において外部に向けて付勢された状態になっている。なお、この場合、各ディテントボール６３は、球面全体の５分の２が各溝６１から突き出される。
【００１８】
このようにしてマウンティングボルト１は、図１に示すように、接続ボルト２が接続ボルト取付台座３に回動可能に取り付けられ、この接続ボルト２にカップリング４を通し、ロックナット６を螺合装着されて組み立てられる。そして、このマウンティングボルト１は構造物Ａの一側面に取り付けられる。この場合、接続ボルト２を上にして、接続ボルト取付台座３の取付プレート３１１が構造物Ａの一側面所定の位置に当接され、取付プレート３１１の各ねじ挿通穴３１０に取付ねじ３１４を通して締め付け固定される。この取り付けにより、接続ボルト２を枢支ピン３２を回動中心にして上下方向に回動可能とする。これに併せて、このマウンティングボルト１の直上の、固定物Ｂの一側面に受けフック５が取り付けられる。この場合、係止爪５２を下にして、受けフック５の取付部５１が固定物Ｂの一側面所定の位置に当接され、取付部５１の各ねじ挿通穴５０に取付ねじ５３を通して締め付け固定される。
【００１９】
図１０にこのマウンティングボルト１による２部材間の固定形式を具体的に示している。まず、図１０（ａ）に示すように、構造物Ａの一側面の接続ボルト２を接続ボルト取付台座３の枢支ピン３２を回動中心にして下方に回動し、また、カップリング４及びロックナット６を接続ボルト２の自由端側に寄せておく。このマウンティングボルト１の解除状態で、固定物Ｂを構造物Ａの上に載せ、所定の固定位置まで移動する。続いて、図１０（ｂ）に示すように、接続ボルト２を接続ボルト取付台座３の枢支ピン３２を回動中心にして上方に回動し、斜め上方に向けた状態から、接続ボルト２上でカップリング４を下方へ移動して、カップリング４の係止溝４１と固定物Ｂの受けフック５（の係止爪５２）とを係合させる。そして、この状態からロックナット６を締め込んでいく。このロックナット６がカップリング４の上に接触したところで、このロックナット６をさらに締め込むと、接続ボルト２の軸２０はＤ形にカットされ、カップリング４の穴４０がＤ形に形成されて、カップリング４の回転方向は固定されているので、カップリング４は回転することなく、図１０（ｃ）に示すように、ロックナット６がカップリング４を上から押圧した状態で、ロックナット６の各ディテントボール６３がカップリング４の対応する各ディテント溝４２に嵌合し、カップリング４をロックナット６とともにロックする。このようにして受けフック５に係合させたカップリング４をロックナット６で締め込みロックして、固定物Ｂと構造物Ａの各側面間を固定する。
【００２０】
以上説明したように、このマウンティングボルト１では、構造物Ａに接続ボルト取付台座３を介して接続ボルト２を上下方向に回動可能に取り付けて、この接続ボルト２に固定物Ｂに係合するカップリング４を通すとともに、このカップリング４を締め込みロックするロックナット６を螺合装着し、接続ボルト２を固定物Ｂ側に向けて回動させた状態から、接続ボルト２上のカップリング４の係止溝４１と固定物Ｂに取り付けた受けフック５の係止爪５２とを係合させて、このカップリング４をロックナット６で締め込み、カップリング４のディテント溝４２とロックナット６のディテントボール６３とを係合させてロックするようにしたので、ロックナット６を確実に回り止めして接続ボルト２の緩みを防止することができ、これにより構造物Ａ側のカップリング４と固定物Ｂ側の受けフック５との係合状態を確実に固定して、固定物Ｂと構造物Ａの２部材間を確実に固定することができる。また、ロックナット６を締め込み方向とは反対の方向に回せば、ロックナット６を緩めて、カップリング４と受けフック５との係合を簡単に解除することができ、従来のようにボルト、ナットを２部材間から完全に取り外す必要がなく、構造物Ａから固定物Ｂを容易に取り外すことができる。
【００２１】
また、このマウンティングボルト１の場合、接続ボルト２をＤ形にカットするとともに、カップリング４の穴４０をＤ形に形成して、接続ボルト２上でカップリング４の回転方向を固定したので、カップリング４上でロックナット６を締め込むときに、カップリング４の回転を防止して、ロックナット６の各ディテントボール６３をカップリング４の対応する各ディテント溝４２に確実に係合させて、カップリング４を確実にロックすることができる。さらに、接続ボルト２を接続ボルト取付台座３に枢支ピン３２を介して取り付けて、この取付台座３を介して構造物Ａに回動可能に取り付けるので、マウンティングボルト１を構造物Ａへ簡易に取り付けることができる。またさらに、カップリング４の固定物Ｂに対する係合手段として係止溝４１を形成して、固定物Ｂに取り付けた受けフック５に係合させるので、構造物Ａ側のマウンティングボルト１と固定物Ｂとを簡易に結合することができる。
【００２２】
なお、この実施の形態では、接続ボルト２をＤ形にカットし、カップリング４中心の穴４０をＤ形に形成したが、接続ボルト２を円筒形とし、カップリング４中心の穴４０を円形に形成してもよく、このようにしても、カップリング４の回転を防止することができないが、この点を除けば、概ね上記と同様の作用効果を奏することができる。
【００２３】
また、この実施の形態では、接続ボルト２を接続ボルト取付台座３に回動可能に取り付けて、この接続ボルト２を介して構造物Ａに取り付けているが、この接続ボルト２の取付部材は接続ボルト２の一端を構造物Ａに取り付けることのできる部材であれば、フック形状のもの、ねじ構造のもの、差し込み構造のもの、支持構造のものなど、その形式は任意である。
【００２４】
さらに、この実施の形態では、カップリング４の固定物Ｂに対する係合手段として、カップリング４の片側一方の面に係止溝４１を形成したが、この係合手段は、係止構造のもの、嵌合構造のもの、押え構造のものなど、その形式は任意である。また、この係合手段に合せて、固定物Ｂに受けフック５を設けたが、この受けフック５に代えて、カップリング４に採用される各種の係合手段に対応して他の形式の係合手段を設けることもできる。なお、固定物Ｂの外形を利用して、カップリング４を係合させることができる場合には、固定物Ｂに特別の係合手段はなくてもかまわない。
【００２５】
またさらに、この実施の形態では、マウンティングボルト１を構造物Ａに取り付けて、固定物Ｂにマウンティングボルト１に係合可能な手段を設けたが、反対に、マウンティングボルト１を固定物Ｂに取り付けて、構造物Ａにマウンティングボルト１に係合可能な手段を設けてもよいことは勿論である。
【００２６】
図１にこのマウンティングボルト１を用いた固定具７を併せて示している。図１１及び図１２にマウンティングボルトに併用されるストッパー８の各部の構成を示している。図１に示すように、この固定具７は、物を対称な２方向から固定する２つの部材を備えて構成され、その一方の部材に、既述のマウンティングボルト１が採用され、他方の部材にストッパー８が採用される。マウンティングボルト１については既に詳しく説明しているので、ここではマウンティングボルト１について重複した説明を省略し、他方の部材であるストッパー８についてのみ詳しく説明する。
【００２７】
図１に示すように、ストッパー８は、ガイドケース８１と、ケース取付部材８２と、ばね部材８３と、ガイドピン８４とにより構成される。また、物にはガイドピン８４が係合可能な溝形形状部９が併せて設けられる。なお、ここで物は既述の固定物Ｂであり、溝形形状部９は固定物Ｂの他側面の、下部中央に円筒形状にして設けられる。この場合、溝形形状部９は固定物Ｂに直接、円筒形状の溝を形成して設けられてもよく、また固定物Ｂとは別の円筒形状の部材を設置して設けられてもよい。また、この溝形形状部９の形状、大きさ、固定物Ｂのおける形成位置又は設置位置は固定物Ｂの大きさ、形状に応じて種々に変更されることは言うまでもない。
【００２８】
ガイドケース８１は筒形形状に形成される。この場合、ガイドケース８１は、図１１（ａ）及び（ｃ）に示すように、外形が横方向に長い直方体形状に形成され、その内部に円筒形状のガイド穴８０が形成され、このガイド穴８０はガイドケース８１の基端面において少し小径になっている。ケース取付部材８２は、図１１（ｂ）に示すように、ガイドケース８１の底面四隅付近に４個のねじ穴８２０が形成されて、これらのねじ穴８２０に４本の取付ねじ８２１を通して締結する形式になっている（図１参照）。ばね部材８３にはコイルスプリングが採用される（図１参照）。このコイルスプリング８３は後述するガイドピン８４の軸８４１に装着可能に軸８４１の外径よりも僅かに大きい内径を有し、ガイドケース８１のガイド穴８０に配置可能にガイド穴８０よりも僅かに小さい外径を有する。ガイドピン８４は、図１２に示すように、軸８４１と、ガイド８４４とからなる。軸８４１はガイドケース８１の基端面のガイド穴８０１に挿通可能で、かつこのガイド穴８０よりも長い円筒形をなす。軸８４１の一端はテーパ形状８４２に形成され、その先端は半球状に形成される。軸８４１の他端は平坦に形成され、その軸心上にねじ穴８４３が形成され、このねじ穴８４３にフランジ付きのねじ８５（図１参照）が螺着されるようになっている。このフランジ付きのねじ８５は軸８４１の抜け止めとなる。ガイド８４４は軸８４１の外周に嵌合可能に軸８４１の外径よりも僅かに大きい内径を有し、ガイドケース８１のガイド穴８０を摺動可能にガイド穴８０１の内径よりも少し小さい外径を有する、軸８４１よりも短い円筒形をなす。このガイド８４４は軸８４１上にテーパ形状８４２に隣接して固定取り付けされる。
【００２９】
このようにしてストッパー８は、図１に示すように、ガイドピン８４の軸８４１周囲にばね部材（コイルスプリング）８３を装着され、このガイドピン８４がガイドケース８１のガイド穴８０、８０１に挿通配置されて組み立てられる。この場合、ガイドピン８４の軸８４１（ねじ穴８４３側）はガイドケース８１先端側のガイド穴８０から挿入され、軸８４１をガイドケース８１基端側内のガイド穴８０１に通されて、軸８４１のねじ穴８４３にフランジ付きのねじ８５が螺着され、このねじ８５により抜け止めされる。これにより、ガイドケース８１のガイド穴８０内でコイルスプリング８３がガイドピン８４のガイド８４４とガイドケース８１内の基端面との間で伸張されて、ガイドケース８１内のガイドピン８４が先端方向に付勢され、ガイドピン８４の先端テーパ形状８４２がガイド８４４の一部とともにガイドケース８１から先方に突出される（図１０（ａ）参照）。そして、このストッパー８は構造物Ａの上面に取り付けられる。この場合、ガイドケース８１は先端のテーパ形状８４２を固定物Ｂの他側面（溝形形状部９）に対向可能に底面が構造物Ａの上面所定の位置に設置され、構造物Ａの内側からガイドケース８１の底面の各ねじ穴８２０に取付ねじ８２１を通して締め付け固定される。
【００３０】
図１０にこの固定具７により固定物Ｂを対称な２方向から固定する固定形式を具体的に示している。まず、図１０（ａ）に示すように、構造物Ａの一側面の接続ボルト２を接続ボルト取付台座３の枢支ピン３２を回動中心にして下方に回動し、また、カップリング４及びロックナット６を接続ボルト２の自由端側に寄せておく。このマウンティングボルト１の解除状態で、固定物Ｂを構造物Ａの上に載せ、所定の固定位置まで移動する。この際、図１０（ｂ）に示すように、固定物Ｂの溝形形状部９をストッパー８の軸８４１に合わせ、ストッパー８の軸８４１先端（テーパ形状８４２）を固定物Ｂの溝形形状部９に差し込み、固定物Ｂを押す（この動作により、ストッパー８の軸８４１をコイルスプリング８３の付勢力に抗して押圧して、軸８４１をガイドケース８１に対して後退させる）。この状態から、接続ボルト２を接続ボルト取付台座３の枢支ピン３２を回動中心にして上方に回動し、斜め上方に向けた状態から、接続ボルト２上でカップリング４を下方へ移動して、カップリング４の係止溝４１と固定物Ｂの受けフック５（の係止爪５２）とを係合させる。そして、この状態からロックナット６を締め込んでいく。このロックナット６がカップリング４の上に接触したところで、このロックナット６をさらに締め込むと、接続ボルト２はＤ形にカットされ、カップリング４の穴４０がＤ形に形成されて、カップリング４の回転方向が固定されているので、カップリング４は回転することなく、図１０（ｃ）に示すように、ロックナット６がカップリング４を上から押圧した状態で、ロックナット６の各ディテントボール６３がカップリング４の対応する各ディテント溝４２に嵌合し、カップリング４をロックナット６とともにロックする。なお、この場合の固定物Ｂを押える力の方向を矢印で示す。このようにして固定物Ｂの他側面をストッパー８で弾性的に押えるとともに、受けフック５に係合させたカップリング４をロックナット６で締め込みロックして、固定物Ｂと構造物Ａの各一側面間を固定するとともに、固定物Ｂを対称な２方向から固定する。
【００３１】
以上説明したように、この固定具７は、既述のマウンティングボルト１と、固定物Ｂの他側面を押えるストッパー８とにより構成して、固定物Ｂを対称な２方向から固定するようにしたので、マウンティングボルト１の既述の作用効果を利用して、固定物Ｂを対称な２方向から確実かつ簡易に固定することができる。
【００３２】
また、この固定具７では、特にストッパー８を、円筒形形状のガイドケース８１と、このガイドケース８１にコイルスプリング８３を介して挿通させたガイドピン８４とにより構成し、このガイドケース８１を固定物Ｂの他側面側で構造物Ａの上面所定の位置に取り付けて、固定物Ｂの溝形形状部９に係合させ、他側面側を弾性的に押えるようにしたので、マウンティングボルト１とともに、固定物Ｂを対称的な２方向から、より確実に、より簡易に固定することができる。また、このストッパー８により固定物Ｂを弾性的に押えることで、固定物Ｂに振動が発生しても、この振動を確実に防止することができる。
【００３３】
なお、この実施の形態では、固定具７をマウンティングボルト１とストッパー８とにより構成したが、これらマウンティングボルト１及びストッパー８をそれぞれ、物の形状や大きさに応じて、一つ又は複数の構成とすることができる。また、この固定具７は一方の部材にマウンティングボルト１を採用することが特に重要で、一方の部材にマウンティングボルト１を使用すれば、他方の部材を既述のストッパー８に限定することはなく、物を他方の側から押えることのできる部材であれば、既存の他のストッパーに代えてもよい。また、マウンティングボルト１はストッパーとして使用することもでき、物の両側をマウンティングボルト１で固定するようにしてもよい。
【図面の簡単な説明】
【００３４】
【図１】本発明の一実施の形態における緩み止めマウンティングボルト及びこれを用いた固定具の側面断面図
【図２】（ａ）同マウンティングボルトに使用される接続ボルトの平面図（ｂ）同マウンティングボルトに使用される接続ボルトの側面図
【図３】（ａ）同マウンティングボルトに使用される接続ボルト取付台座の平面図（ｂ）同マウンティングボルトに使用される接続ボルト取付台座の一部断面側面図
【図４】同マウンティングボルトに使用される枢支ピンの一部断面側面図
【図５】（ａ）同マウンティングボルトに使用される接続ボルト及び接続ボルト取付台座の平面図（ｂ）同マウンティングボルトに使用される接続ボルト及び接続ボルト取付台座の側面図
【図６】（ａ）同マウンティングボルトに使用されるカップリングの片側一方の端面図（ｂ）同マウンティングボルトに使用されるカップリングの断面図（ｃ）同マウンティングボルトに使用されるカップリングの片側他方の端面図
【図７】（ａ）同マウンティングボルトに使用される受けフックの断面側面図（ｂ）同マウンティングボルトに使用される受けフックの正面図
【図８】同マウンティングボルトに使用されるロックナットの断面側面図
【図９】（ａ）同マウンティングボルトに使用される（ディテントスプリング及びディテントボールを取り外した状態の）ロックナットの片側一方の端面図（ｂ）同マウンティングボルトに使用される（ディテントスプリング及びディテントボールを取り外した状態の）ロックナットの断面側面図
【図１０】（ａ）−（ｃ）同マウンティングボルトによる２部材間の固定形式、及び同固定具による物を対称な２方向から固定する固定形式を示す側面断面図
【図１１】（ａ）同固定具のストッパーに使用されるガイドケースの側面断面図（ｂ）同ストッパーに使用されるガイドケースの底面図（ｃ）同ストッパーに使用されるガイドケースの端面図
【図１２】（ａ）同固定具のストッパーに使用されるガイドピンの平面図（ｂ）同ストッパーに使用されるガイドピンの一部断面側面図
【符号の説明】
【００３５】
Ａ  構造物（２部材の一方）
Ｂ  固定物（２部材の他方）
１  緩み止めマウンティングボルト
２  接続ボルト
２０  軸
２１  ねじ
２２  ピン挿通穴
３  接続ボルト取付台座
３１  台座本体
３１０  ねじ挿通穴
３１１  取付プレート
３１２  軸受プレート
３１３  軸受用の穴
３１４  取付ねじ
３２  枢支ピン
３２１  軸
３２２  フランジ
３２３  かしめ部
４  カップリング
４０  穴
４１  係止溝
４２  ディテント溝
５  受けフック
５０  ねじ挿通穴
５１  取付部
５２  係止爪
５３  取付ねじ
６  ロックナット
６０  ねじ穴
６１  溝
６２  ディテントスプリング
６３  ディテントボール
６４  凹溝
７  固定具
８  ストッパー
８０  ガイド穴
８０１  ガイド穴
８１  ガイドケース
８２  ケース取付部材
８２０  ねじ穴
８２１  取付ねじ
８３  ばね部材（コイルスプリング）
８４  ガイドピン
８４１  軸
８４２  テーパ形状
８４３  ねじ穴
８４４  ガイド
８５  フランジ付きのねじ
９  溝形形状部
【図１】
2009103158.tif 000003
【図２】
2009103158.tif 000004
【図３】
2009103158.tif 000005
【図４】
2009103158.tif 000006
【図５】
2009103158.tif 000007
【図６】
2009103158.tif 000008
【図７】
2009103158.tif 000009
【図８】
2009103158.tif 000010
【図９】
2009103158.tif 000011
【図１０】
2009103158.tif 000012
【図１１】
2009103158.tif 000013
【図１２】
2009103158.tif 000014